(57)【要約】      （修正有）【課題】安全・安価で、誰もが使い易く、好感触で肌に優しく耳孔を傷付ける事なく、スムーズ且つ確実に耳孔の掃除が出来、且つ、先端掻出部を着脱式にして交換可能に設けた柔軟好感触型耳掻きを提供する。【解決手段】抜け出し防止用鍔１ｄ付先細形状部１ｃと握持棒部１ａとの境の表面全周部に所定寸法だけ複数の滑り防止用溝部１ｂを設け、前記抜け出し防止用鍔付先細形状部に嵌挿して設けた掻出部２は、掻出部本体２ａの先端部にＲ状の末拡がり鍵状部を形成し、且つ、全周角部にＲ形状の面取り及び先端全周部に複数のスリット部２ｂを形成して設け、且つ、掻出部２には、先端側に中空部２ｄを、後端側軸部には握持棒先端に設けた抜け出し防止用鍔部に適合したテーパー状の嵌挿孔２ｃをそれぞれ設けたものである。【選択図】図１
0003155361.tif 000002
【実用新案登録請求の範囲】
【請求項１】
握持棒部（１ａ）と該握持棒部の先端に、抜け出し防止用鍔（１ｄ）付先細形状部（１ｃ）を設け、該先細形状部の先端部には掻出部（２）を嵌挿して設けた耳掻き（１）において、抜け出し防止用鍔（１ｄ）付先細形状部（１ｃ）と握持棒部（１ａ）との境の表面全周部に所定寸法だけ複数の滑り防止用溝部（１ｂ）を設け、前記抜け出し防止用鍔（１ｄ）付先細形状部（１ｃ）に嵌挿して設けた掻出部（２）は、掻出部本体（２ａ）の先端部にＲ状の末拡がり鍵状部（２ｅ）を形成し、且つ、全周角部にＲ形状の面取り及び先端全周部に複数のスリット部（２ｂ）を形成して設け、且つ、掻出部には、先端側に中空部（２ｄ）を、後端側軸部には握持棒先端に設けた抜け出し防止用鍔（１ｄ）部に適合したテーパー状の嵌挿孔（２ｃ）をそれぞれ設けた事を特徴とする柔軟好感触型耳掻き。
【請求項２】
掻出部（２）は、掻出部本体（２ａ）の先端部にＲ状の末拡がり鍵状部（２ｅ）を形成し、且つ、全周角部にＲ形状の面取りを形成して設け、且つ、掻出部本体には、先端側の肉厚を均一に設けた中空部（２ｄ'）を形成し、後端側軸部には握持棒先端に設けた抜け出し防止用鍔（１ｄ）部に適合したテーパー状の嵌挿孔（２ｃ）をそれぞれ設けた事を特徴とする請求項１記載の柔軟好感触型耳掻き。
【請求項３】
握持棒部（１ａ）の先端部に、着脱可能で、且つ、掻き出し時に掻出部先端が耳孔形状に沿って柔軟に変形対応可能な掻出部（２）を設けた事を特徴とする請求項１又は請求項２記載の柔軟好感触型耳掻き。
【考案の詳細な説明】
【技術分野】
【０００１】
この考案は、柔軟好感触型耳掻き
【背景技術】
【０００２】
従来の耳掻きは金属製や竹製で把持部と掻出部が一体形成された物が一般的であった。その為、硬い掻出部が耳孔を傷付ける虞があった為、掻出部にシリコンラバー等の弾力性のある柔らかい部材で形成した耳掻きが提案され特許出願されている（例えば特許文献１〜２参照）。
【先行技術文献】
【特許文献】
【０００３】
【特許文献１】特開２０００−３５４５５６
【特許文献２】特開２００４−１０５５５９
【０００４】
しかし、上記特許文献の耳掻きは何れも耳掻きの軸芯に対して握持部や先端の掻出部等の材質をそれぞれ変えて形成されている為、製作工程が増えコスト的にも割高に成り、又、耐久性やメインテナンス性等、品質の安定性に関しても不利益である等の問題があった。
【０００５】
そこで、上記問題を解決するべく、安全・安価で、誰もが使い易く、肌に優しく耳孔を傷付ける事なく、スムーズ且つ確実に耳孔の掃除が出来る耳掻きを考案し、先に出願済みである。（特願２００９−００５４４３）
【０００６】
ところが、前記出願済みの耳掻きは材質が樹脂製で一体形成されている為、肌に優しいとはいえ、好感触とまでは言い難く、更に改良する余地がある。
【考案の概要】
【考案が解決しようとする課題】
【０００７】
そこで、上記課題を解決する為に、この考案は安全・安価で、誰もが使い易く、好感触で肌に優しく耳孔を傷付ける事なく、スムーズ且つ確実に耳孔の掃除が出来、且つ、先端掻出部を着脱式にして交換可能に設けた柔軟好感触型耳掻きを開発・提供する事にある。
【課題を解決するための手段】
【０００８】
この課題を解決する為の手段として、抜け出し防止用鍔付先細形状部と握持棒部との境の表面全周部に所定寸法だけ複数の滑り防止用溝部を設け、前記抜け出し防止用鍔付先細形状部に嵌挿して設けた掻出部は、掻出部本体の先端部にＲ状の末拡がり鍵状部を形成し、且つ、全周角部にＲ形状の面取り及び先端全周部に複数のスリット部を形成して設け、且つ、掻出部には、先端側に中空部を、後端側軸部には握持棒先端に設けた抜け出し防止用鍔部に適合したテーパー状の嵌挿孔をそれぞれ設けたものである。
【０００９】
又、掻出部は、掻出部本体の先端部にＲ状の末拡がり鍵状部を形成し、且つ、全周角部にＲ形状の面取りを形成して設け、且つ、掻出部本体には、先端側の肉厚を均一に設けた中空部を形成し、後端側軸部には握持棒先端に設けた抜け出し防止用鍔部に適合したテーパー状の嵌挿孔をそれぞれ設けたものである。
【００１０】
又、握持棒部の先端部に、着脱可能で、且つ、掻き出し時に掻出部先端が耳孔形状に沿って柔軟に変形対応可能な掻出部を設けたものである。
【考案の効果】
【００１１】
この考案の効果として、抜け出し防止用鍔付先細形状部と握持棒部との境の表面全周部に所定寸法だけ複数の滑り防止用溝部を設け、前記抜け出し防止用鍔付先細形状部に嵌挿して設けた掻出部は、掻出部本体の先端部にＲ状の末拡がり鍵状部を形成し、且つ、全周角部にＲ形状の面取り及び先端全周部に複数のスリット部を形成して設け、且つ、掻出部には、先端側に中空部を、後端側軸部には握持棒先端に設けた抜け出し防止用鍔部に適合したテーパー状の嵌挿孔をそれぞれ設け、又、掻出部は、掻出部本体の先端部にＲ状の末拡がり鍵状部を形成し、且つ、全周角部にＲ形状の面取りを形成して設け、且つ、掻出部本体には、先端側の肉厚を均一に設けた中空部を形成し、後端側軸部には握持棒先端に設けた抜け出し防止用鍔部に適合したテーパー状の嵌挿孔をそれぞれ設け、又、握持棒部の先端部に、着脱可能で、且つ、掻き出し時に掻出部先端が耳孔形状に沿って柔軟に変形対応可能な掻出部を設けた事で、安全・安価で誰もが使い易く、且つ、掻出部に中空部及びスリット部を設けて、使用時に楕円状に変形させて接触面積を拡大して接触面圧を低減させる事で、刺激が緩和され、耳孔の肌に好感触で優しく、傷付ける心配が無く、更に接触面が増える事と中から外への掻き出し移動中に本体の軸がぶれても、中空部分のスプリング効果で一定の圧力が保持されて、耳掻き機能が倍増し、且つ、スムーズで確実に耳孔の掃除が出来、万が一破損しても着脱式の為新品の掻出部と交換可能である等、極めて有益なる効果を奏するものである。
【図面の簡単な説明】
【００１２】
【図１】この考案の一実施例を示し、先端スリット付柔軟好感触型耳掻きの（Ａ）は正面視全体図で、（Ｂ）は図１（Ａ）のａ矢視図で、（Ｃ）は図１のｂ部拡大断面図で、（Ｄ）は図１（Ａ）のｃ部拡大詳細図である。
【図２】この考案のその他の実施例を示し、柔軟好感触型耳掻きの（Ａ）は正面視全体図で、（Ｂ）は図２（Ａ）のａ矢視図で、（Ｃ）は図２のｂ部拡大断面図で、（Ｄ）は図２（Ａ）のｃ部拡大詳細図である。
【図３】この考案の使用例を示し、先端スリット付柔軟好感触型耳掻き使用時の取扱要領図である。
【図４】この考案の使用例を示し、耳孔挿入時の掻出部変形状態を示す断面図である。
【考案を実施するための形態】
【００１３】
考案を実施するための形態として、握持棒部（１ａ）と該握持棒部の先端に、抜け出し防止用鍔（１ｄ）付先細形状部（１ｃ）を設け、該先細形状部の先端部には掻出部（２）を嵌挿して設けた耳掻き（１）において、抜け出し防止用鍔（１ｄ）付先細形状部（１ｃ）と握持棒部（１ａ）との境の表面全周部に所定寸法だけ複数の滑り防止用溝部（１ｂ）を設け、前記抜け出し防止用鍔（１ｄ）付先細形状部（１ｃ）に嵌挿して設けた掻出部（２）は、掻出部本体（２ａ）の先端部にＲ状の末拡がり鍵状部（２ｅ）を形成し、且つ、全周角部にＲ形状の面取り及び先端全周部に複数のスリット部（２ｂ）を形成して設け、且つ、掻出部には、先端側に中空部（２ｄ）を、後端側軸部には握持棒先端に設けた抜け出し防止用鍔（１ｄ）部に適合したテーパー状の嵌挿孔（２ｃ）をそれぞれ設けた事を特徴とする柔軟好感触型耳掻きから構成される。
【００１４】
又、掻出部（２）は、掻出部本体（２ａ）の先端部にＲ状の末拡がり鍵状部（２ｅ）を形成し、且つ、全周角部にＲ形状の面取りを形成して設け、且つ、掻出部本体には、先端側の肉厚を均一に設けた中空部（２ｄ'）を形成し、後端側軸部には握持棒先端に設けた抜け出し防止用鍔（１ｄ）部に適合したテーパー状の嵌挿孔（２ｃ）をそれぞれ設けた事を特徴とする柔軟好感触型耳掻きから構成される。
【００１５】
又、握持棒部（１ａ）の先端部に、着脱可能で、且つ、掻き出し時に掻出部先端が耳孔形状に沿って柔軟に変形対応可能な掻出部（２）を設けた事を特徴とする柔軟好感触型耳掻きから構成される。
【実施例１】
【００１６】
そこで、この考案の第１実施例を図１（Ａ）（Ｂ）（Ｃ）（Ｄ）に基づいて詳述すると、まず、図１（Ａ）は柔軟好感触型耳掻きの正面視全体図を示し、握持棒部（１ａ）と掻出部（２）の２つの部品を嵌挿係止して一体に組み合わせて構成され、一方側の握持棒部（１ａ）の材質はプラスチック等の樹脂製で、握持棒部（１ａ）の先端に嵌挿係止する、他方側の掻出部（２）の材質は、軟質プラスチック等の樹脂製でそれぞれ形成されている。
【００１７】
そして、一方側の握持棒部（１ａ）の先細形状部先端には、掻出部（２）を嵌挿係止する為の抜け出し防止用鍔（１ｄ）とテーパー状軸部（１ｅ）をそれぞれ設け、且つ、先細形状部（１ｃ）と握持棒部（１ａ）との境の表面全周部に所定寸法だけ複数の滑り防止用溝部（１ｂ）をそれぞれ設けている。
【００１８】
又、他方側の掻出部（２）は、掻出部本体（２ａ）の先端部にＲ状の末拡がり鍵状部（２ｅ）を形成し、且つ、全周角部にＲ形状の面取り及び先端全周部に複数のスリット部（２ｂ）を形成して設け、且つ、掻出部には、先端側に中空部（２ｄ）を、後端側軸部には握持棒先端に設けた抜け出し防止用鍔（１ｄ）部に適合したテーパー状の嵌挿孔（２ｃ）をそれぞれ設けたものである。
【００１９】
次に、この考案の取扱要領について説明すると、図３に示す様に柔軟好感触型耳掻きの握持棒部（１ａ）の滑り防止用溝部（１ｂ）を持って、人体の耳孔部（ＥＨ）に挿入し、耳糞又は耳垢（ＥＤ）部分に末拡がり鍵状部（２ｅ）を当てがいながら下方向に押圧して、ゆっくり握持棒の軸部を中心にして回転させながら伸縮移動させて掃除を行うものである。
【００２０】
そして、図４に示す様に柔軟好感触型耳掻きを耳孔に挿入し、握持棒部（１ａ）を持って耳孔部に接触させると、掻出部（２）は耳孔内壁の形状に沿って変形する。従って、接触面積が拡大され、刺激が緩和される。又、前記の理由から握持棒部（１ａ）の軸が多少上下又は左右方向にぶれても、中空部分のスプリング効果により一定の圧力が保たれて、耳掻きの機能が倍増する。
【実施例２】
【００２１】
その他の第２実施例として、図２（Ａ）（Ｂ）（Ｃ）（Ｄ）に基づいて詳述すると、図２（Ａ）は先端掻き出し部を８等分に分割したスリットを有する柔軟好感触型耳掻きの正面視全体図を示し、材質は上記第１実施例と同様で、一方側の握持棒部（１ａ）の材質はプラスチック等の樹脂製で、握持棒部（１ａ）の先端に嵌挿係止する、他方側の掻出部（２）の材質は、軟質プラスチック等の樹脂製でそれぞれ形成されている。そして、一方側の握持棒部（１ａ）の先細形状部先端には、掻出部（２）を嵌挿係止する為の抜け出し防止用鍔（１ｄ）とテーパー状軸部（１ｅ）をそれぞれ設け、且つ、先細形状部（１ｃ）と握持棒部（１ａ）との境の表面全周部に所定寸法だけ複数の滑り防止用溝部（１ｂ）をそれぞれ設け、又、他方側の掻出部（２）は、掻出部本体（２ａ）の先端部にＲ状の末拡がり鍵状部（２ｅ）を形成し、且つ、全周角部にＲ形状の面取りを形成して設け、且つ、掻出部本体には、先端側の肉厚を均一に設けた中空部（２ｄ'）を形成し、後端側軸部には握持棒先端に設けた抜け出し防止用鍔（１ｄ）部に適合したテーパー状の嵌挿孔（２ｃ）をそれぞれ設けたものである。又、取扱要領は前記第１実施例と同様である。
【００２２】
又、上記の第１実施例及び第２実施例の嵌挿結合鍔部（１ｄ）は何れも先端部を半球状に形成する事で、嵌挿し易く、又、一度嵌挿したらテーパー軸部（１ｅ）がテーパー状嵌挿孔部（２ｃ）に嵌合されて抜け難い構造に形成されている。
【産業上の利用可能性】
【００２３】
この考案の柔軟好感触型耳掻きは、安全・安価で、誰もが使い易く、好感触で肌に優しく耳孔を傷付ける事なく、スムーズ且つ確実に耳孔の掃除が出来、且つ、先端掻出部を着脱式にして交換可能に設けた事で、多くの市場に寄与する為、産業上の利用可能性を有する。
【符号の説明】
【００２４】
１  耳掻き
１ａ  握持棒部
１ｂ  滑り防止用溝部
１ｃ  先細形状部
１ｄ  抜け出し防止用鍔
１ｅ  テーパー状軸部
２  掻出部（先端スリット型）
２ａ  掻出部本体（先端スリット型）
２ｂ  スリット部
２ｃ  嵌挿孔
２ｄ  中空部
２ｄ'  中空部
３  耳掻き
ＥＤ  耳糞又は耳垢
ＥＨ  耳孔
【図１】
0003155361.tif 000003
【図２】
0003155361.tif 000004
【図３】
0003155361.tif 000005
【図４】
0003155361.tif 000006